(57)【要約】 【課題】  本考案は、電動歯間ブラシのブラシ部を口腔内の歯間に挿入しやすくし、歯列や歯茎等への接触を軽減すると共に不必要な唇やほほの部分等の押し開きを防ぎ、歯間に残存する食べ物の滓や歯垢を効率よく除去することができる電動歯間ブラシの提供を課題とする。【解決手段】  係る課題は、本体内に電源と振動用のモータとを有する該本体に連設するアーム部と、アーム部の先端部分に着脱自在に装着する歯間ブラシとを有する電動歯間ブラシであって、該アーム部を湾曲して構成すると共に、歯間ブランの先が該湾曲方向又はその湾曲の内側方向に向かってアーム部に装着する電動歯間ブラシによって解決できる。【選択図】    図１
0003140630.tif 000002
【実用新案登録請求の範囲】
【請求項１】
本体１内に電源と振動用のモータとを有する該本体１に連設するアーム部２と、アーム部２の先端部分に着脱自在に装着する歯間ブラシ３とを有する電動歯間ブラシであって、
該アーム部２を湾曲して構成すると共に、歯間ブラン３の先が該湾曲方向又はその湾曲の内側方向に向かってアーム部２に装着するものであることを特徴とする電動歯間ブラシ。
【請求項２】
アーム部２の湾曲が、アーム部２と本体１との連設部分から湾曲して突出形成されており、該湾曲は弧状に湾曲してアーム部２を形成すると共に、弧状により一方に膨んだ上、更に本体１方向に湾曲して戻る程度の弧状の湾曲からなることを特徴とする請求項１記載の電動歯間ブラシ。
【請求項３】
アーム部２の湾曲が、歯列の湾曲に近似した湾曲形状よりなることを特徴とする請求項１記載の電動歯間ブラシ。
【考案の詳細な説明】
【技術分野】
【０００１】
本考案は、歯間に残存する食べ物の滓や歯垢を除去するための歯間ブラシであって、電動による振動を用いてブラシを振動させる口腔衛生具である電動歯間ブラシに関する。
【背景技術】
【０００２】
従来より、歯間に残存する食べ物の滓や歯垢を除去するためにとって部を有し、その一端にブラシを有する手動式の歯間ブラシやデンタルフロスは多用されてきているものである。
更に、電動歯間ブラシも多用されており、電源を内蔵する本体とこれに連設するアーム部及びアーム部の先端に歯間ブラシを装着する構成を有するものである。
この構成として例えば実開平２−９２７２２号（特許文献１）に示す電動歯間ブラシがある。
【０００３】
又、実開平３−２７７２３号（特許文献２）や特開平８−１７４１５号（特許文献３）に示す電動歯間ブラシも存在する。
更に、実開平７−２５８２９号（特許文献４）や特開２００１−１２８９９５号（特許文献５）、特開２００２−１７７３０４号（特許文献６）、実登第２５８２２３４号（特許文献７）に示す電動歯間ブラシが存在する。
この他、電源部と歯間ブラシ部とを切り離しコードによって連設する電動歯間ブラシとして実開平６−４１５３９号（特許文献８）や特開２００４−１４１５１９号（特許文献９）が既に提唱されているものである。
【特許文献１】実開平２−９２７２２号
【特許文献２】実開平３−２７７２３号
【特許文献３】特開平８−１７４１５号
【特許文献４】実開平７−２５８２９号
【特許文献５】特開２００１−１２８９９５号
【特許文献６】特開２００２−１７７３０４号
【特許文献７】実登第２５８２２３４号
【特許文献８】実開平６−４１５３９号
【特許文献９】特開２００４−１４１５１９号
【考案の開示】
【考案が解決しようとする課題】
【０００４】
以上の様に、歯の間の歯垢や食べかす等を除去する口腔衛生具としては手動の歯間ブラシやデンタルフロスが従来よりあり、これらを自動化してその効率を高めるために電動化したものも多数存在する。
しかし、この場合まず特許文献１に示す電動歯間ブラシは電源を内蔵する本体とアームと該アームの先端に歯間ブラシを有する構成であって、本体に対してアームが水平に配設され、更にそのアームの先端にアームに対して垂直方向に歯間ブラシを有する構成である。
従って、構造的には直線を基調として製造がしやすいものである。
【０００５】
反面口腔内に該アーム部を差し入れて歯の外側から該歯の歯間に歯間ブラシを差し入れるには、歯列の弧状の並び形状とは異なるものであって、歯列や歯茎部分にアームがぶつかり、奥歯方向の清掃が困難であり、やりにくいものであった。
特に歯間ブラシを歯間に挿入することが必要であって口腔内の形状とは異なる直線状のアーム部をもってしては作業性に劣るものとなっていた。
【０００６】
次に特許文献２と３に示す電動歯間ブラシは電源を内蔵する本体とアームと該アームの先端に歯間ブラシを有する構成であって、本体に対してアームが水平に配設され、更にそのアームの先端にアームに対して水平方向に歯間ブラシを有する構成である。
従って、前歯等においてはそのまままっすぐ歯間に歯間ブラシを挿入可能であるが、横方向より奥の奥歯方向の歯列の歯間に対しては歯間ブラシの歯間への挿入が困難であり、該電動歯間ブラシを用いる場合には口腔を広く開けて歯の裏側から外方向に歯間ブラシを挿入することが必要であり、又その挿入は斜め方向からの挿入になり挿入がしにくいものでしかなく、更には口をあけてその状態を維持することは極めて労力のいるものでしかなかった。
【０００７】
更に特許文献４乃至７に示す電動歯間ブラシは、これらを考慮してアームを屈曲した形状よりなるものである。
この場合、電動歯間ブラシは電源を内蔵する本体とアームと該アームの先端に歯間ブラシを有する構成であって、本体に対してアームが斜めに配設され、更にそのアームの先端に該アームの外方向に向かって歯間ブラシを有する構成である。
しかし、この様に屈曲してアーム部を構成しても歯列や歯茎部分との形状とは異なるものあった。
【０００８】
即ち口腔内の前歯から奥歯にかけての歯の並びは直線形状と屈曲部形状により構成されるものではなく弧状にかつ前歯を凸部として奥方向に湾曲して構成され、最終的に奥歯方向は略直線状に並んで形成されているものである。
従って屈曲形状や斜め方向に歯間ブラシを有する形状の電動歯間ブラシではどうしても歯列にぶつかったり、歯間への歯間ブラシの挿入がやりにくくなるものであった。
特に歯間ブラシは些少の隙間から形成されることの多い歯間にブラシを挿入することが必要であり、斜め方向などからの挿入は難しいばかりでなく歯茎部分を不必要にこすることが生じかねず、又斜めに歯間に挿入されたブラシでは歯間の歯垢や残り滓が残ってしまうおそれもあった。
【０００９】
次に特許文献８と９に示す電動歯間ブラシは電源部を切り離してコートでつなぐものであるので、どうしてもコードで繋がる本体部分が邪魔となり、又その保管や収納が煩雑となるものであった。
従って、係る各欠点を従来例ではどうしても有するものであり、より口腔内の歯列に対応し、かつ歯間の真横方向から的確に歯間内に歯間ブラシを挿入可能な電動歯間ブラシの提供が望まれるものである。
【課題を解決するための手段】
【００１０】
以上のように係る課題を見事に解決するため、提供されたのが本考案に係る電動歯間ブラシである。
従って、まず請求項１に係る考案は、本体内に電源と振動用のモータとを有する該本体に連設するアーム部と、アーム部の先端部分に着脱自在に装着する歯間ブラシとを有する電動歯間ブラシであって、該アーム部を湾曲して構成すると共に、歯間ブランの先が該湾曲方向又はその湾曲の内側方向に向かってアーム部に装着する電動歯間ブラシからなるものであり、係る考案によって前記課題を解決できる。
【００１１】
又、請求項２に係る考案は、アーム部の湾曲が、アーム部と本体との連設部分から湾曲して突出形成されており、該湾曲は弧状に湾曲してアーム部を形成すると共に、弧状により一方に膨んだ上、更に本体方向に湾曲して戻る程度の弧状の湾曲からなる電動歯間ブラシであり、係る考案によっても同様に前記課題を解決できる。
更に、請求項３に係る考案は、アーム部の湾曲が、歯列の湾曲に近似した湾曲形状よりなる電動歯間ブラシであって、係る考案によっても前記課題を同様に解決できるものである。
【考案の効果】
【００１２】
以上のように構成したことから、まず請求項１に係る考案を用いることにより、アーム部の湾曲構成を得ることができ、口腔内に挿入した際に挿入しやすいものであり、歯列や歯茎等への接触を軽減できるものであると共に唇やほほの部分等を無理に押し開く等の行為が不要となり歯間に残存する食べ物の滓や歯垢を効率よく除去することができる。
特にこれによって奥歯方向の清掃も容易となる。
更に歯間ブランの先が該湾曲方向又はその湾曲の内側方向に向かってアーム部に装着するものであることから、歯間ブラシは歯方向に向いて装着することとなり、口腔内にアーム部を押し入れた状態で歯間ブラシが歯間方向に向くこととなりを歯間に挿入しやすいものである。
【００１３】
特に例えば電動の電源を入れると歯間ブラシの振動が開始され、この振動によってそのまま歯間内に挿入することもでき、単に歯間ブラシを歯間の端に位置させることによって振動を与えると、自然に歯間内に歯間ブラシのブラシ部分が入ってしまうことも可能となる。
更に請求項２に係る考案は、前記の各効果と共に更には口腔内におけるアームの湾曲形状に基づく効果をより高めることができるものであり、又、請求項３に係る考案によれば前記各効果と共に更に口腔内の歯列に合致した湾曲形状をアーム部に付与できるものである。
【考案を実施するための最良の形態】
【００１４】
図１は、本考案に係る電動歯間ブラシの一例を示す図である。
本図に示す電動歯間ブラシはまず電源と振動用のモータを内蔵する本体１と、これに連設するアーム部２アーム部に着脱自在に装着されている歯間ブラシ３からなる。
該本体１はその下部に蓋体１０が螺着しているものであり、蓋体１０を外すことにより内部に装着している電池の交換を可能とする。
次にアーム部２は湾曲して形成されており、少なくともアーム部２と本体１との連設部分から湾曲して突出形成されており、該湾曲は弧状に湾曲してアーム部が形成されているものであって、弧状により一方に膨らみ、更に又、本体１方向に湾曲して戻る程度の弧状の湾曲からなる。
【００１５】
従って、単に一方方向に屈曲し或いは曲がって形成されたものと異なり、湾曲して一方に膨らんだ上でアーム部２の先端方向は本体１方向に更に湾曲して形成されたものとなる。
この様に構成することによって口腔内の歯列状態に合致したアーム部２の提供ができる。
少なくともアーム部２は前記構成か或いは口腔内の歯列に沿った湾曲形状を有することが必要である。
次に該アーム部２の先端部分には孔２０を有しており、該孔内２０に歯間ブラシ３の基部３０が挿入されることによって着脱自在に歯間ブラシの装着ができる。
【００１６】
尚、歯間ブラシ３の先端部にはブラシ部３１を有する。
次に該図に示す電動歯間ブラシ本体１の一部に電源スイッチ１１を有しており、該スイッチ１１を入れることによって本体１内の振動用のモータを駆動でき、更には該スイッチ１１によって振動用のモータを停止できる。
【００１７】
図２は、アーム部２の先端の孔２０と歯間ブラシ３を示す図であり、本図に示す構成は歯間ブラシ３の基部には略円筒状の基部３０を有し、又アーム部２の先端には該基部３０が装着可能な径を有する孔２０を有している。
特に歯間ブラシ３基部３０にはその外周に突出部３２を有していることから、孔２０内で該突出部分３２によって装着状態の維持が可能となる。
更に歯間ブラシ３はアーム部２の湾曲の湾曲方向乃至内側方向に向かって装着するものである。
これによって歯間に対して垂直方向に該ブラシ３１を位置させることができる。
【００１８】
図３は、口腔内において本発明に係る電動歯間ブラシのアーム部２を挿入している状態を示す図であり、図４は、更に歯間内に歯間ブラシ３のブラシ部３１が挿入している状態を示す図である。
図３に示すように本考案に係る電動歯間ブラシのアーム部２は湾曲形状となしたものであり、歯列に近似又は合致した形状よりなるものであり、歯列に沿ってアーム部２を口腔内に挿入でき、更に歯間ブラシ３のブラシ部３１は更に歯間方向に向かって位置することができる。
この状態において希望の歯間箇所に該ブラシ部３１を図４に示すように簡単に挿入することができる。
【００１９】
この場合不用意に歯茎部分をこすったり或いは歯間の方向とは異なる斜め方向や歯間ブラシ３を折り曲げて歯間内に挿入しなければならなくなるようなことは防止できる。
更に、例えば電源を入れて歯間ブラシ３を振動させることによって、該振動によるゆれによって自ら歯間に該歯間ブラシ３のブラシ部３１がひとりでに入り込んでしまうことも可能となる。
従って、この様に歯間方向に対して正しい方向から歯間ブラシ３を挿入することを可能にすると歯間に残る歯垢や食べ滓等をきれいに除去できることとなり、口腔衛生具としての効率をより高めることができると共に、歯間ブラシ３のブラシ部３１を束ねるワイヤ部等での歯の損傷を最小限に防ぐことや歯茎の傷つけ等を極力防ぐことができる。
【図面の簡単な説明】
【００２０】
【図１】本考案に係る電動歯間ブラシの一例を示す図
【図２】図１に示す電動歯間ブラシのアーム部と歯間ブラシとの装着部分の一例を示す拡大図
【図３】本考案に係る電動歯間ブラシを口腔内に入れた状態の一例を示す図
【図４】本考案に係る電動歯間ブラシを口腔内に入れ、歯間に歯間ブラシを挿入した状態の一例を示す図
【符号の説明】
【００２１】
１    本体
１０  蓋体
１１  電源スイッチ
２    アーム部
２０  孔
３    歯間ブラシ
３０  基部
３１  ブラシ部
３２  突出部
【図１】
0003140630.tif 000003
【図２】
0003140630.tif 000004
【図３】
0003140630.tif 000005
【図４】
0003140630.tif 000006